(57)【特許請求の範囲】
【請求項１】
シャッターボタンのボタン操作によってＯＮ／ＯＦＦされるシャッタースイッチがカメラ内の回路基板に取り付けられたデジタルカメラにおいて、
前記シャッタースイッチを支持するためのシャッター支持面を有するシャッター支持部材を、該シャッター支持面が前記回路基板の平面と直交し、かつ回路基板の端部に近接するように回路基板に取り付け、前記シャッタースイッチを前記シャッター支持面に載置するとともに、該シャッタースイッチを前記回路基板に電気的に接続するようにしたことを特徴とするデジタルカメラ。
【請求項２】
前記シャッター支持部材は、略Ｌ字のブラケット形状を有し、前記回路基板の横方向と縦方向の強度を補強する補強部材として作用することを特徴とする請求項１のデジタルカメラ。
【請求項３】
前記デジタルカメラは、カード型デジタルカメラであり、前記回路基板がカメラ強度の一部を担うことを特徴とする請求項１又は２のデジタルカメラ。
【発明の詳細な説明】
【０００１】
【発明の属する技術分野】
本発明はデジタルカメラに係り、特にカード型デジタルカメラのシャッタースイッチの取付構造に関する。
【０００２】
【従来の技術】
従来、カード型デジタルカメラとして、ＰＣカードのサイズにしたものが提案されている（特開平１０−２４８０２９号公報参照）。
【０００３】
このカード型デジタルカメラは、撮影レンズを保持するレンズ部をカメラ本体に出没自在とし、撮影時にカメラ本体からポップアップさせて撮影レンズと撮像素子との光路長を確保するようにしている。また、未使用時にはレンズ部をカメラ本体に収納してカメラ全体をカード形状とし、これによりポケット等にも嵩張ることなく収納できるようにしている。
【０００４】
また、このカード型デジタルカメラは、シャッターボタンがカメラ前面に設けられている。
【０００５】
【発明が解決しようとする課題】
ところで、上記従来のカード型デジタルカメラのシャッターボタンは、カメラ前面にあるため、このシャッターボタンによってＯＮ／ＯＦＦされるシャッタースイッチを、例えばカメラ本体内の回路基板に面実装することができる利点があるが、操作しにくいという問題がある。
【０００６】
一方、シャッターボタンをカード型デジタルカメラの上面に設ける場合には、操作がしやすいが、シャッタースイッチをカメラ本体内の回路基板に面実装することができず、例えば、シャッタースイッチを回路基板の端面に取り付けなければならない。この場合、回路基板の端面は薄いため、シャッタースイッチを十分に支持することができないという問題がある。
【０００７】
本発明はこのような事情に鑑みてなされたもので、回路基板の端面部に取り付けられるシャッタースイッチを良好に支持することができるデジタルカメラを提供することを目的とする。
【０００８】
【課題を解決するための手段】
前記目的を達成するために請求項１に係る発明は、シャッターボタンのボタン操作によってＯＮ／ＯＦＦされるシャッタースイッチがカメラ内の回路基板に取り付けられたデジタルカメラにおいて、前記シャッタースイッチを支持するためのシャッター支持面を有するシャッター支持部材を、該シャッター支持面が前記回路基板の平面と直交し、かつ回路基板の端部に近接するように回路基板に取り付け、前記シャッタースイッチを前記シャッター支持面に載置するとともに、該シャッタースイッチを前記回路基板に電気的に接続するようにしたことを特徴としている。
【０００９】
即ち、シャッター支持部材を回路基板に取り付け、このシャッター支持部材のシャッター支持面上にシャッタースイッチを載置することで、シャッタースイッチを回路基板の端面部で良好に支持できるようにしている。また、シャッタースイッチは、回路基板にハンダ付け等により電気的に接続される。
【００１０】
請求項２に示すように前記シャッター支持部材は、略Ｌ字のブラケット形状を有し、前記回路基板の横方向と縦方向の強度を補強する補強部材として作用することを特徴としている。
【００１１】
請求項３に示すように前記デジタルカメラは、カード型デジタルカメラであり、前記回路基板がカメラ強度の一部を担うことを特徴としている。
【００１２】
【発明の実施の形態】
以下添付図面に従って本発明に係るデジタルカメラの好ましい実施の形態について詳説する。
【００１３】
図１乃至図４はそれぞれ本発明に係るデジタルカメラの外観を示す正面図、背面図、右側面図及び左側面図である。
【００１４】
これらの図面に示すデジタルカメラ１０は、厚さが６ｍｍの名刺サイズのカード型デジタルカメラであり、カメラ本体１２とレンズ部２０とから構成されている。
【００１５】
図１に示すようにカメラ本体１２の前面には、撮影レンズ２２と光学ファインダ（逆ガレリオ式ファインダ）の対物レンズ２４とを保持するレンズ部２０が出没自在に設けられている。
【００１６】
図２に示すようにカメラ本体１２の背面には、光学ファインダの接眼レンズ２６、液晶表示部３０、画質切り替え／画像消去ボタン３２、及びビープ音ＯＮ／ＯＦＦボタン３４が設けられている。液晶表示部３０には、撮影枚数、画質(640×480 画素／320 ×240 画素) 、電池残量、ビープ音の有無等が表示される。
【００１７】
図３に示すようにカメラ本体１２の右側面（グリップと反対側の側面）には、レンズ部２０をポップアップさせるためのレンズポップアップスイッチ４０が設けられ、また、図４に示すようにカメラ本体１２の左側面（グリップ側の側面）には、デジタル（ＵＳＢ）端子４２及びストラップ取り付け部４４が設けされている。更に、図１及び図２に示すようにカメラ本体１２の上面には、シャッターボタン５０が設けられている。
【００１８】
図５は前記デジタルカメラ１０を前方から見た斜視図であり、レンズ部２０がポップアップした状態に関して示している。
【００１９】
このデジタルカメラ１０の外装体は、金属（アルミ）製の前カバー６０と後カバー６２とによって形成されている。
【００２０】
図６は前カバー６０の内側を示す平面図である。同図に示すように前カバー６０には、レンズ部２０が出没するための開口６０Ａが形成され、その開口６０Ａの周囲に遮光用ラバー６４が貼付されている。この遮光用ラバー６４の開口６４Ａは、前カバー６０に形成された開口６０Ａよりも僅かに小さく形成されており、後述するようにレンズ部２０の外周面と常時弾性をもって当接するようになっている。また、図１及び図６上で、符号６０Ｂは、グリップ時の指掛かりとなる凸凹である。
【００２１】
次に、上記デジタルカメラ１０の内部構造について説明する。
【００２２】
図７は前記デジタルカメラ１０から前カバー６０及びレンズ部２０を外した状態のカメラ本体を示す斜視図であり、図８はレンズ部２０とこのレンズ部２０が出没自在の取り付けられるカメラ本体側の要部分解斜視図であり、図９はレンズ部２０を内側から見た斜視図である。
【００２３】
図７及び図８に示すようにプラスチック製の主フレーム部７０には、撮像素子（ＣＭＯＳイメージセンサ）７２が取り付けられるとともに、光学ファインダの接眼レンズ２６が取り付けられる。また、主フレーム部７０には、ＣＭＯＳイメージセンサ７２の前方向の周囲を囲む遮光壁７０Ａが形成され、この遮光壁７０Ａ内には、図８に示すように遮光部材からなるインナーラバー７４が装填される。
【００２４】
インナーラバー７４は、図８に示すように上面にフランジ部７４Ａが形成されるとともに、中央部にＣＭＯＳイメージセンサ７２に対向する開口７４Ｂが形成されている。フランジ部７４Ａは、遮光壁７０Ａの外周よりも僅かに大きく形成され、レンズ部２０の内周面と常時弾性をもって当接するようになっている。
【００２５】
また、主フレーム部７０には、図７に示すようにＣＭＯＳイメージセンサ７２側と接眼レンズ２６側とを区分する遮光壁７０Ｂが一体成形されている。
【００２６】
一方、図９に示すようにレンズ部２０の内側には、撮影レンズ２２と光学ファインダの対物レンズ２４とを区分する遮光壁２０Ａ、２０Ｂがプラスチックによって一体成形されている。これらの遮光壁２０Ａ、２０Ｂは、カメラ本体側の主フレーム部７０の遮光壁７０Ａと７０Ｂとの間に位置し、両者の遮光壁によって光学ファインダから入射する光が、ＣＭＯＳイメージセンサ７２に入射しないようにしている。
【００２７】
次に、レンズ部２０をポップアップさせるポップアップ機構について説明する。
【００２８】
図７及び図８に示すように、レンズ部２０とカメラ本体側の主フレーム部７０との間には、３本のコイルバネ８１、８２、８３が配置されている。コイルバネ８１は、撮影レンズ２２からＣＭＯＳイメージセンサ７２までの光路の周囲を囲むようにインナーラバー７４の開口７４Ｂの内側に配置され、コイルバネ８２及び８３は、それぞれコイルバネ８１と反対側のレンズ部２０の隅部に配置されている。
【００２９】
尚、ポップアップ用のコイルバネを３本にした理由は、レンズ部２０に対して一様の付勢力が加わるように（レンズ部２０に対する上下左右の付勢力のバランスがとれるように）するための最小限の本数としたためである。また、撮影レンズ２２側に１本のコイルバネ８１を配置し、光学ファインダ側に２本のコイルバネ８１、８２を配置した理由は、撮影レンズ２２は円形であり、光学ファインダの対物レンズ２４及び接眼レンズ２６は矩形であることを考慮して、３本のコイルバネを効率よく配置したためである。
【００３０】
ところで、カメラ本体側の主フレーム部７０内には、レンズ部２０の下端面によってＯＮ／ＯＦＦされる電源スイッチとしてのリーフスイッチ８４が配置されている。このリーフスイッチ８４は、レンズ部２０を押し上げる方向に付勢するように作用する。従って、２本のコイルバネ８２及び８３のうち、リーフスイッチ８４側のコイルバネ８２は、リーフスイッチ８４の付勢力の分だけコイルバネ８３よりも弱いコイルバネが使用されている。
【００３１】
また、レンズ部２０には、３つのガイド部２１Ａ、２１Ｂ、２１Ｃが形成され主フレーム部７０には、これらのガイド部２１Ａ、２１Ｂ、２１Ｃに対応してストッパを兼ねた３つのガイド部７１Ａ、７１Ｂ、７１Ｃが形成されており、レンズ部２０は、これらのガイド部によってカメラ本体に対して出没する方向に移動自在に案内されている。
【００３２】
次に、３本のコイルバネ８１、８２、８３によって突出する方向に付勢されているレンズ部２０を、カメラ本体内に収納した状態でロックするロック機構について説明する。
【００３３】
図７において、レンズポップアップスイッチ４０を矢印Ａ方向にスライドさせると、先端部がテーパー状に形成されたロック用ロッド４１が矢印Ｂ方向に移動できるようになっている。
【００３４】
即ち、図１０に示すようにカメラ本体側部には、レンズポップアップスイッチ４０が嵌着されるスライド部材４３が、図１０上で上下方向に移動自在に配設されている。このスライド部材４３は、下端部に設けられたバネ４５によって上方向に付勢されている。また、スライド部材４３は、テーパー部を有し、このテーパー部がロック用ロッド４１の基端部に形成されたテーパー部と係合するようになっている。尚、ロック用ロッド４１は、カメラ本体側部に図１０上で左右方向に移動自在に配設されるとともに、バネ４７によって左方向に付勢されている。
【００３５】
従って、レンズポップアップスイッチ４０を、図１０上で矢印Ａ方向にスライドさせると、これに伴ってスライド部材４３も矢印Ａ方向に移動する。このスライド部材４３が矢印Ａ方向に移動すると、スライド部材４３に形成されたテーパー部によってロック用ロッド４１がバネ４７の付勢力に抗して矢印Ｂ方向に移動する。尚、レンズポップアップスイッチ４０（スライド部材４３）は、未操作時には、バネ４５によって図１０に示す位置に復帰できるようになっている。
【００３６】
一方、図９に示すようにレンズ部２０の内側には、ロック用ロッド４１の先端部と係合するフック部２１Ｄが形成されている。フック部２１Ｄは、レンズ部２０の押下時にロック用ロッド４１の先端部と当接する当接面が、テーパー状に形成されるとともに、オーバーハング（図示せず）している。
【００３７】
上記構成のロック機構により、レンズ部２０をコイルバネ８１、８２、８３の付勢力に抗して押し下げると、ロック用ロッド４１は、レンズ部２０のフック部２１Ｄのテーパー面によって矢印Ｂ方向に移動（後退）させられ、その後、フック部２１Ｄのテーパー面を越えて後退すると、オーバーハングしているフック部２１Ｄ内に進入してフック部２１Ｄと係合する。これにより、レンズ部２０は、カメラ本体内に収納された状態でロックされる。
【００３８】
レンズ部２０のポップアップ時には、レンズポップアップスイッチ４０をスライドさせる。これにより、ロック用ロッド４１が後退し、レンズ部２０のフック部２１Ｄとの係合が外れ（ロックが解除され）、レンズ部２０は、コイルバネ８１、８２、８３の付勢力によって図５に示したようにポップアップする。
【００３９】
尚、図７に示したようにレンズ部２０の下端面によってＯＮ／ＯＦＦされる電源スイッチとしてのリーフスイッチ８４を、レンズ部２０がロックされる位置の近傍に設けることで、カメラ本体内に収納されたレンズ部２０の下端部や上端部を押圧しても、リーフスイッチ８４を押圧しているレンズ部２０の下端面が持ち上がることがなく、これにより電源が不用意に入ることを防止している。
【００４０】
図８に示したカメラ本体の主フレーム部７０に対して、図７に示すように６本のネジ８５により回路基板８６が取り付けられる。
【００４１】
この回路基板８６の強度を補強するために、アクリルの補強板８７、８８が回路基板８６の前面に貼付されている。補強板８７には切欠き部８７Ａが形成され、ここにカメラ起動等を知らせるためのビープ音を発生するブザー８９が配設されている。
【００４２】
図１１はカメラ本体内の主フレーム部７０及び回路基板８６等を背面側から見た斜視図である。
【００４３】
同図に示すように、回路基板８６には、ＵＳＢ端子４２、シート状の充電池９０、画像データを記憶するフラッシュメモリ９１、その他、図示しない画像信号処理ＩＣやカメラ全体を統括制御するＣＰＵ等が搭載されている。また、液晶表示部３０は、フレキシブル配線パターン９２によって回路基板８６に接続されている。
【００４４】
このデジタルカメラ１０での撮影によってフラッシュメモリ９１に記憶された画像データは、ＵＳＢ端子４２を介して接続されたパソコン等の外部機器に転送される。また、内部の充電池９０は、ＵＳＢ端子４２の接続による画像の転送中に自動的に充電される。
【００４５】
次に、シャッターボタン５０について説明する。
【００４６】
図５に示すようにカメラ本体１２の上面には、シャッターボタン５０のキートップが配設されており、図１１に示すように回路基板８６には、キートップの裏側に設けられた押圧突起部５０Ａ（図１２参照）によってＯＮ／ＯＦＦされるシャッタースイッチ９４が設けられている。
【００４７】
即ち、図１１に示すように回路基板８６には、シャッター支持部材９６が取り付けられている。尚、シャッター支持部材９６は、図７に示すように２本のネジ９７及び接着剤によって回路基板８６に取り付けられている。
【００４８】
上記シャッター支持部材９６は、図１１に示すように略Ｌ字のブラケット形状に形成されており、シャッタースイッチ９４を支持するためのシャッター支持面９６Ａを有している。シャッタースイッチ９４は、このシャッター支持面９６Ａ上に保持されるとともに、図７に示すようにハンダ９５により回路基板８６に電気的に接続されている。
【００４９】
図１２（Ａ）及び（Ｂ）は、それぞれシャッターボタン５０の押下前、及び押下中のシャッタースイッチ９４の状態を示す断面図である。
【００５０】
このシャッタースイッチ９４は、同図に示すようにドーム状の金属皿バネ９４Ａと、固定接点９４Ｂとから構成されている。図１２（Ａ）に示すシャッターボタン５０の押下前の状態（スイッチＯＦＦ）からシャッターボタン５０が押下されると、図１２（Ｂ）に示すようにシャッターボタン５０のキートップの押圧突起部５０Ａによって金属皿バネ９４Ａが変形して固定接点９４Ｂに接触し、スイッチＯＮとなる。
【００５１】
シャッター支持部材９６は、シャッターボタン５０の押下操作時にシャッタースイッチ９４に加わる押圧力を良好に受け止めることができ、シャッターボタン５０の繰り返し操作にシャッタースイッチ９４が耐えることができるようにしている。
【００５２】
また、この実施の形態のシャッター支持部材９６は、略Ｌ字のブラケット形状を有しているため、回路基板８６の横方向と縦方向の強度を補強する補強部材としても作用する。
【００５３】
尚、シャッタースイッチ９４の構造、及びシャッター支持部材９６の形状は、この実施の形態のものに限らない。
【００５４】
次に、このデジタルカメラ１０の遮光構造について、図１３及び図１４を参照しながら詳説する。
【００５５】
図１３はレンズ部２０がカメラ本体１２に収納された状態のレンズ部２０及びカメラ本体１２の一部断面を含む斜視図であり、図１４はレンズ部２０がポップアップした状態のレンズ部２０及びカメラ本体１２の縦断面図である。
【００５６】
図１４に示すように、カメラ本体側の主フレーム部７０には、ＣＭＯＳイメージセンサ７２の前方向の周囲を囲む遮光壁７０Ａと、ＣＭＯＳイメージセンサ７２側と接眼レンズ２６側とを区分する遮光壁７０Ｂとが形成され、レンズ部２０には、撮影レンズ２２と光学ファインダの対物レンズ２４との間に遮光壁２０Ａ、２０Ｂが形成されている。
【００５７】
前記遮光壁２０Ａと遮光壁７０Ａ、及び遮光壁２０Ｂと遮光壁７０Ｂとは、図１４に示すようにそれぞれレンズ部２０がポップアップした状態で僅かに重なるようになっている。これにより、光学ファインダの対物レンズ２４及び接眼レンズ２６から入射する光は、遮光壁２０Ａ、７０Ａ、及び遮光壁２０Ｂ、７０ＢによってＣＭＯＳイメージセンサ７２に入射しないように遮光される。
【００５８】
上記レンズ部２０側の遮光壁２０Ａ、２０Ｂと、カメラ本体側の遮光壁７０Ａ、７０Ｂとを僅かに重ねる理由は、カメラ本体に厚さに対してレンズ部２０の突出量を最大にした場合に、レンズ部２０の収納時に各遮光壁がその収納を邪魔しないようにするためである。尚、レンズ部２０側の遮光壁２０Ａ、２０Ｂと、カメラ本体側の遮光壁７０Ａ、７０Ｂとの各端面が面一になるようにしてもよい。
【００５９】
次に、前カバー６０の内側に貼付された遮光用ラバー６４（図６参照）及びＣＭＯＳイメージセンサ７２の遮光壁７０Ａ内に装填されるインナーラバー７４の作用について説明する。
【００６０】
図６に示すように遮光用ラバー６４の開口６４Ａは、前カバー６０のレンズ部２０が出没するために形成された前カバー６０の開口６０Ａよりも僅かに小さく形成されており、図１３及び図１４に示すようにレンズ部２０の外周面と常時弾性をもって当接するようになっている。この遮光用ラバー６４によって、レンズ部２０と前カバー６０の開口６０Ａとの隙間を遮蔽することができ、光がカメラ本体内に入射しないようにしている。また、遮光用ラバー６４は、カメラ本体内に塵埃が入らないようにする防塵作用も有する。
【００６１】
一方、ＣＭＯＳイメージセンサ７２を囲む遮光壁７０Ａ内に装填されたインナーラバー７４は、上面にフランジ部７４Ａが形成されるとともに、中央部にＣＭＯＳイメージセンサ７２に対向する開口７４Ｂが形成されている。
【００６２】
フランジ部７４Ａは、遮光壁７０Ａの外周よりも僅かに大きく形成され、図１３及び図１４に示すようにレンズ部２０の内周面と常時弾性をもって当接するようになっている。このインナーラバー７４は、カメラ本体内に入射する光がＣＭＯＳイメージセンサ７２に入射しないようにしている。
【００６３】
尚、この実施の形態では、遮光壁２０Ａ、２０Ｂ、７０Ａ、７０Ｂ、遮光用ラバー６４、及びインナーラバー７４を組み合わせて、ＣＭＯＳイメージセンサ７２に不用光が入射しないようにしているが、これに限らず、それぞれ単独に使用して遮光対策を行うようにしてもよい。また、遮光用ラバー６４及びインナーラバー７４の代わりに、レンズ部２０のポップアップ動作の妨げにならない遮光部材であれば、ラバー以外のものを使用してもよい。更に、レンズ部２０及び主フレーム部７０のプラスチック部材は、光透過率を極小にするために黒色系のプラスチックを用いるのが好ましいが、金属メッキを施してもよい。
【００６４】
【発明の効果】
以上説明したように本発明によれば、カメラ本体内の回路基板にシャッター支持部材を取り付け、シャッターボタンのボタン操作によってＯＮ／ＯＦＦされるシャッタースイッチを、そのシャッター支持部材に載置するとともに、回路基板に電気的に接続するようにしたため、シャッタースイッチを回路基板の端面部で良好に支持することができる。また、前記シャッター支持部材を、略Ｌ字のブラケット形状とすることにより、回路基板の横方向と縦方向の強度を補強する補強部材として作用させることができる。
【図面の簡単な説明】
【図１】本発明に係るデジタルカメラの外観を示す正面図
【図２】本発明に係るデジタルカメラの外観を示す背面図
【図３】本発明に係るデジタルカメラの外観を示す右側面図
【図４】本発明に係るデジタルカメラの外観を示す左側面図
【図５】レンズ部がポップアップした状態のデジタルカメラを前方から見た斜視図
【図６】デジタルカメラの前カバーの内側を示す平面図
【図７】デジタルカメラから前カバー及びレンズ部を外した状態のカメラ本体を示す斜視図
【図８】レンズ部及びカメラ本体側の要部分解斜視図
【図９】レンズ部を内側から見た斜視図
【図１０】レンズ部のロック機構を説明するために用いた一部断面を含む図
【図１１】カメラ本体内の主フレーム部及び回路基板等を背面側から見た斜視図
【図１２】シャッタースイッチの構造を示す断面図
【図１３】レンズ部がカメラ本体に収納された状態のレンズ部及びカメラ本体の一部断面を含む斜視図
【図１４】レンズ部がポップアップした状態のレンズ部及びカメラ本体の縦断面図
【符号の説明】
１０…デジタルカメラ、１２…カメラ本体、２０…レンズ部、２０Ａ、２０Ｂ、７０Ａ、７０Ｂ…遮光壁、２２…撮影レンズ、２４…対物レンズ、２６…接眼レンズ、４０…レンズポップアップスイッチ、５０…シャッターボタン、６０…前カバー、６２…後カバー、６４…遮光用ラバー、６４Ａ…開口、７０…主フレーム部、７４…インナーラバー、８１、８２、８３…コイルバネ、８４…電源スイッチ（リーフスイッチ）、８６…回路基板、９４…シャッタースイッチ、９６…シャッター支持部材
【図１】
0003918186.tif 000002
【図２】
0003918186.tif 000003
【図３】
0003918186.tif 000004
【図４】
0003918186.tif 000005
【図５】
0003918186.tif 000006
【図６】
0003918186.tif 000007
【図７】
0003918186.tif 000008
【図８】
0003918186.tif 000009
【図９】
0003918186.tif 000010
【図１０】
0003918186.tif 000011
【図１１】
0003918186.tif 000012
【図１２】
0003918186.tif 000013
【図１３】
0003918186.tif 000014
【図１４】
0003918186.tif 000015